(57)【要約】      （修正有）【課題】履歴情報をファイルとして読み出す際の区切り文字を指定する手段を持ち、ユーザの望む形式で履歴ファイルの取得を行なうことが可能な画像処理装置を提供する。【解決手段】画像データのプリント出力や送受信処理を行なう処理手段１０１と、処理を指示する指示手段１２０と、前記プリント出力や送受信の動作記録を履歴情報として記憶する履歴記憶手段１０２と、記憶された情報を読み出す履歴情報読み出し手段１０４とを持ち、履歴情報をファイルとして取得することが可能な画像処理装置１００において、履歴ファイルの区切り文字を指定する手段１２０と、指定された区切り文字に従って履歴ファイルを整形する履歴ファイル整形手段１０５とをもち、ユーザ１２０からの履歴ファイル取得要求に応答して、整形した履歴ファイルを生成するよう構成する。【選択図】図１
2006195885.tif 000002
【特許請求の範囲】
【請求項１】
画像データのプリント出力や送受信処理を行なう処理手段と、前記処理を指示する指示手段と、前記プリント出力や送受信の動作記録を履歴情報として記憶する履歴記憶手段と、記憶された情報を読み出す履歴情報読み出し手段とを持ち、履歴情報をファイルとして取得することが可能な画像処理装置において、履歴項目の区切り文字を指定するための区切り文字指定手段と、指定された区切り文字で区切って履歴ファイルを整形する履歴ファイル整形手段とを持ち、ユーザからの履歴ファイル取得要求に応答して指定された形式に整形した履歴ファイルを生成することを特徴とする画像処理装置。
【請求項２】
請求項１に記載の画像処理装置において、さらにネットワーク接続手段とＷｅｂサーバ手段を持ち、前記履歴ファイル取得をネットワーク上のクライアントから行なうことが可能であることを特徴とする画像処理装置。
【請求項３】
請求項１に記載の画像処理装置において、さらにネットワーク接続手段とＷｅｂサーバ手段を持ち、前記区切り文字指定手段はネットワーク上のＷｅｂクライアントから区切り文字を入力することにより行ない、前記履歴ファイル整形手段はＷｅｂクライアントから受け取った区切り文字で区切った履歴ファイルを生成することを特徴とする画像処理装置。
【発明の詳細な説明】
【背景技術】
【０００１】
従来より、画像データのプリント出力、送受信機能等を持つ画像処理装置において、その動作履歴（ログ）を記憶しておき、必要に応じて履歴をファイルとして取得できるようにしたものが知られている。また、例えば特許文献１に記載の提案では、記録レベルに基づいて記憶すべき動作を抽出し、抽出された動作の履歴情報を記録する手法が示されているなど、履歴の記録方法に関してはさまざまな提案がなされている。
【特許文献１】特開２００３−１７８２８５号公報
【発明の開示】
【発明が解決しようとする課題】
【０００２】
しかしながら、これまで履歴ファイルの取得時の形式は、ＣＳＶ（Ｃｏｍｍａ  Ｓｅｐａｒａｔｅｄ  Ｖａｌｕｅ：カンマ区切り）形式や独自の形式など、その装置で予め定められていた。履歴ファイルを取得して利用するユーザは、取得したファイルから必要な情報を抽出して整形するといった処理を改めて行なわなければならなかった。
【０００３】
本発明は、以上の点に着目して成されたもので、ユーザの望む形式で履歴ファイルの取得を行なうことが可能であり、利便性が高い画像処理装置を提供することを目的とする。
【課題を解決するための手段】
【０００４】
本発明は上記課題に対してなされたものであり、
画像データのプリント出力や送受信処理を行なう処理手段と、前記処理を指示する指示手段と、前記プリント出力や送受信の動作記録を履歴情報として記憶する履歴記憶手段と、記憶されている履歴情報を読み出す履歴情報読み出し手段とを持ち、履歴情報をファイルとして取得することが可能な画像処理装置において、履歴項目の区切り文字を指定するための区切り文字指定手段と、指定された区切り文字で区切って履歴ファイルを整形する履歴ファイル整形手段とをもち、履歴ファイル取得要求に対して指定された形式に整形した履歴ファイルを生成することを特徴とする。
【発明の効果】
【０００５】
画像データのプリント出力や送受信処理を行なう処理手段と、処理を指示する指示手段と、前記プリント出力や送受信の動作記録を履歴情報として記憶する履歴記憶手段と、記憶された情報を読み出す履歴情報読み出し手段とを持ち、履歴情報をファイルとして取得することが可能な画像処理装置において、履歴項目の区切り文字を指定するための区切り文字指定手段と、指定された区切り文字で区切って履歴ファイルを整形する履歴ファイル整形手段とを持ち、ユーザからの履歴ファイル取得要求に応答して指定された形式に整形した履歴ファイルを生成するよう構成されているため、ユーザの望む形式で履歴ファイルの取得を行なうことが可能であり、利便性が高い。
【発明を実施するための最良の形態】
【０００６】
以下、本発明にかかる一実施形態について、図面を参照して詳細に説明する。
【実施例１】
【０００７】
図１は、本発明の第１の実施の形態に係る画像処理装置を含むシステムの構成例を示すブロック図である。
【０００８】
１００は画像処理装置であり、処理実行部１０１、履歴記録部１０２、記憶装置１０３、履歴読み出し部１０４、整形処理部１０５、Ｗｅｂサーバ部１０６を持つ。画像処理装置１００はネットワーク１１０に接続されており、ネットワークにはクライアント１２０が接続されている。
【０００９】
処理実行部１０１は、画像データのプリント出力または送信などの処理を行なう。処理実行部が処理を行なうと、履歴記録部１０２が記憶装置１０３に対して履歴情報の記録を行なう。１０４は履歴読み出し部であり、記憶装置１０３に記憶されている履歴情報を読み出す処理を行なう。１０５は整形処理部であり、履歴読み出し部１０４が読み出した履歴情報を整形する処理を行なう。１０６はＷｅｂサーバ部であり、クライアントとＨＴＴＰ（Ｈｙｐｅｒ  Ｔｅｘｔ  Ｔｒａｎｓｆｅｒ  Ｐｒｏｔｏｃｏｌ）による通信を行なうとともに、クライアントからの要求を解釈し要求に応じて履歴整形処理部を機能させて、履歴ファイルをクライアントに送信する処理を行なう。
【００１０】
なお、ここではネットワーク１１０に画像処理装置１００とクライアント１２０が１台ずつ接続されている図を示したが、複数の画像処理装置やクライアントが接続されていてもよい。
【００１１】
図２は、実施例１における、画像処理装置のシステムブロック図である。
【００１２】
Ｃｏｎｔｒｏｌｌｅｒ  Ｕｎｉｔ  ２０００は画像入力デバイスであるＳｃａｎｎｅｒ２０７０や画像出力デバイスであるＰｒｉｎｔｅｒ２０９５と接続し、一方ではＬＡＮ２０１１や公衆回線（ＷＡＮ）２０５１接続することで、画像情報やデバイス情報の入出力を行なう為のコントローラである。
【００１３】
ＣＰＵ２００１はシステム全体を制御するコントローラである。ＲＡＭ２００２はＣＰＵ２００１が動作するためのシステムワークメモリであり、画像データを一時記憶するための画像メモリでもある。ＲＯＭ２００３はブートＲＯＭであり、システムのブートプログラムが格納されている。ＨＤＤ２００４はハードディスクドライブで、システムソフトウェア、画像データを格納する。
【００１４】
操作部Ｉ／Ｆ２００６はタッチパネルを有した操作部（ＵＩ）２０１２とのインターフェース部で、操作部２０１２に表示する画像データを操作部２０１２に対して出力する。また、操作部２０１２から本システム使用者が入力した情報を、ＣＰＵ２００１に伝える役割をする。Ｎｅｔｗｏｒｋ  Ｉ／Ｆ２０１０はＬＡＮ２０１１に接続し、情報の入出力を行なう。Ｍｏｄｅｍ２０５０は公衆回線２０５１に接続し、情報の入出力を行なう。
【００１５】
以上のデバイスがシステムバス２００７上に配置される。
【００１６】
Ｉｍａｇｅ  Ｂｕｓ  Ｉ／Ｆ２００５はシステムバス２００７と画像データを高速で転送する画像バス２００８を接続し、データ構造を変換するバスブリッジである。画像バス２００８は、ＰＣＩバスまたはＩＥＥＥ１３９４で構成される。画像バス２００８上には以下のデバイスが配置される。ラスターイメージプロセッサ（ＲＩＰ）２０６０はＰＤＬコードをビットマップイメージに展開する。デバイスＩ／Ｆ部２０２０は、画像入出力デバイスであるスキャナ２０７０やプリンタ２０９５とコントローラユニット２０００を接続し、画像データの同期系／非同期系の変換を行なう。
【００１７】
スキャナ画像処理部２０８０は、入力画像データに対し補正、加工、編集を行なう。プリンタ画像処理部２０９０は、プリント出力画像データに対して、プリンタの補正、解像度変換等を行なう。画像回転部２０３０は画像データの回転を行なう。画像圧縮部２０４０は、多値画像データはＪＰＥＧ、２値画像データはＪＢＩＧ、ＭＭＲ、ＭＨの圧縮伸張処理を行なう。ＩＣ  Ｃａｒｄ  Ｓｌｏｔ２１００はＩＣカードメディアを挿入した後に適切なＰＩＮ（Ｐｅｒｓｏｎａｌ  Ｉｄｅｎｔｉｆｉｅｒ  Ｎｕｍｂｅｒ）コードを入力することにより、暗号・復号に用いる鍵の入出力を行なうことが可能となる。
【００１８】
暗号・復号処理部２１１０はＩＣ  Ｃａｒｄ  Ｓｌｏｔ２１００の鍵を用いてデータの暗号化・複合化処理を行なうハードウェアアクセラレータボードである。
【００１９】
図１に示す処理実行部１０１、履歴記録部１０２、履歴読み出し部１０４、整形処理部１０５、Ｗｅｂサーバ部１０６は、それぞれ、ＨＤＤ２００４に格納されたシステムソフトをＣＰＵ２００１が読み出して実行することにより実現される。その際、コントローラユニット２０００に含まれる前記各部位がＣＰＵ２００１からの指示により順次動作する。また、図１の記憶装置１０３は、ＨＤＤ２００４により構成される。
【００２０】
次に履歴記録部１０２の処理について説明する。履歴記録部１０２は処理実行部１０１の処理内容に従って記憶装置１０３に対して履歴情報の記憶処理を行なう。記憶部に記録される内容はプリント、送信など処理の種類毎に予め定められている。
【００２１】
図３はプリント出力処理を行なった場合に記録される情報を表した例である。プリント出力処理を行なうごとに、受け付け番号３０１、受け付け時刻３０２、ユーザ名３０３、出力文書名３０４、出力結果３０５、が記憶部に記録される。以後、図３において１行で示されるような、１つの処理に対する記録をレコードと呼ぶ。
【００２２】
次にユーザが区切り文字を指定する方法について説明する。本実施例では、区切り文字の指定はＷｅｂブラウザを用いて行なう。画像処理装置１００は、Ｗｅｂサーバ部１０６を持っており、Ｗｅｂクライアント１２０とＨＴＴＰによる通信を行ない、クライアントからの要求に応じた処理を行なう。近年では多くの装置がＷｅｂサーバ機能を持ち、Ｗｅｂクライアントからの処理要求に応じて動作するように構成されている。Ｗｅｂサーバ機能の処理については公知であるため、ここでは詳説しない。
【００２３】
図４はＷｅｂクライアントを用いて画像処理装置にアクセスし、履歴表示画面を指定した時にＷｅｂクライアントに表示される画面の例である。ここでユーザがボタン４０１を押下すると、図５に示す区切り文字設定画面が表示される。ユーザは任意の文字をテキスト入力フィールド５０１に入力して、ＯＫボタン５０２を押し下げする。この操作により、区切り文字が画像処理装置に送信される。画像処理装置は、受け取った区切り文字を記憶領域に記憶する。このようにしてユーザから送信された区切り文字が履歴整形処理に使用される。
【００２４】
なお、画像処理装置は予めデフォルトの区切り文字を持っており、ユーザから区切り文字の指定をされていない状態ならば、この予め用意されている区切り文字が使用される。
【００２５】
次に履歴ファイル整形処理の流れを図６のフローチャートに基づいて説明する。
【００２６】
ステップＳ６００からスタートする。まずステップＳ６０１においてユーザによって指定された区切り文字を記憶装置から読み出す。ステップＳ６０２において履歴情報を１レコード分読み込む。ステップＳ６０３において読み込んだレコードの１項目を出力する。ステップＳ６０４において区切り文字を出力する。ステップＳ６０５において全ての項目を出力したかどうかを判断する。まだ現在のレコード全てを処理していなければＳ６０３に戻り次の項目を出力する。全ての項目を処理していれば、ステップＳ６０６に進み、全てのレコードについて処理したかどうかを判断する。全レコードについて処理が終了していれば、Ｓ６０７で処理を終了する。全レコードについて処理していなければ、ステップＳ６０２に戻り次のレコードを読み込み、処理を繰り返す。
【００２７】
次に履歴ファイルを取得する時の操作について説明する。履歴ファイルの取得処理もＷｅｂブラウザを用いて行なう。図４の画面において、ボタン４０２を押下すると、履歴ファイル取得を示す要求がＨＴＴＰプロトコルで画像処理装置に送られる。画像処理装置はこの要求を受け取ると整形処理部を動作させ、整形処理が行なわれた履歴ファイルを、応答として送信する。ブラウザが応答を受け取ると図７に示すような保存用のダイアログが表示され、履歴ファイルをクライアントＰＣに保存することができる。
【００２８】
以上説明した処理によって履歴ファイルの取得が行われる。
【００２９】
記憶されている履歴情報が図３に示されるものであった場合に取得できるファイルの例を示す。区切り文字として、「，」が指定されていた場合、取得できる履歴ファイルは図８のようなものとなる。一方区切り文字として「：」が指定されている場合に取得できる履歴ファイルは図９に示すような内容のファイルとなる。このようにＣＳＶ形式に限らず任意の区切り文字で区切られた履歴ファイルを取得可能である。
【実施例２】
【００３０】
第一の実施例においては、Ｗｅｂクライアントからの履歴取得要求に応じて履歴ファイルを取得する例を示したが、予め設定した電子メールアドレスに対して履歴ファイルを送信するように構成することもできる。これを第二の実施例とする。
【図面の簡単な説明】
【００３１】
【図１】本発明の画像処理装置１００を含むシステムの構成を示す図
【図２】画像処理装置のシステムブロック図
【図３】履歴情報の例を示す図
【図４】クライアントに表示される履歴表示画面の例を示す図
【図５】クライアントに表示される区切り文字指定画面の例を示す図
【図６】履歴ファイル整形処理の流れを示す図
【図７】履歴ファイル取得画面の例を示す図
【図８】取得される履歴ファイルの例を示す図
【図９】取得される履歴ファイルの例を示す図
【符号の説明】
【００３２】
１００  画像処理装置
１０１  処理実行部
１０２  履歴記録部
１０３  記憶装置
１０４  履歴読み出し部
１０５  整形処理部
１０６  Ｗｅｂサーバ部
１１０  ネットワーク
１２０  クライアント
【図１】
2006195885.tif 000003
【図２】
2006195885.tif 000004
【図３】
2006195885.tif 000005
【図６】
2006195885.tif 000006
【図８】
2006195885.tif 000007
【図９】
2006195885.tif 000008
【図４】
2006195885.tif 000009
【図５】
2006195885.tif 000010
【図７】
2006195885.tif 000011